(57)【要約】      （修正有）【課題】簡素な構造で、液体加熱体が本体から落下することがなく、液体加熱体を容易かつ安定した状態で装置本体に取り付けることができると共に、液漏れにより液体加熱体に取り付けられた電気部品が損傷したり発火することを防止できる加湿器を提供する。【解決手段】表面で水と接触して加熱可能な液体加熱体２を有する加湿器であって、液体加熱体２は、外表面３に設けられた係止部４と、係止部４付近に設けられ外表面の全周に渡って形成された螺合部５とを有し、他方、加湿器本体は液体加熱体装着部７を有し、液体加熱体２は、螺合部５と螺合する螺合手段８によって、液体加熱体装着部７が係止部４と螺合手段８との間に挟持されて加湿器本体に取り付けられ、さらに、液体加熱体２内には、ヒーター９、サーモスタット１０または温度ヒューズ１１が配されている。【選択図】図３
0003152659.tif 000002
【実用新案登録請求の範囲】
【請求項１】
表面で液体と接触して加熱可能な液体加熱体を有する加湿器であって、
前記液体加熱体は、外表面で水と接触して加熱気化させる凸形態に構成され上方に突出した加熱体本体部と、該加熱体本体部の下部付近の外表面に設けられた係止部と、前記加熱体本体部の下部に設けられた円環状筒状部と、前記係止部の下方で、かつ前記円環状筒状部の外表面の全周に渡って形成された螺合部とを有し、
他方、前記加湿器本体は液体加熱体装着部を有し、
前記液体加熱体は、前記螺合部と螺合する螺合手段によって、前記液体加熱体装着部が前記係止部と前記螺合手段との間に挟持されて加湿器本体に取り付けられると共に、
前記液体加熱体内には、該液体加熱体を加熱するためのヒーター、前記液体加熱体の温度制御を行うためのサーモスタットまたは電気回路に異常電流が流れた際に電源からの電力供給を遮断するための温度ヒューズが配され、
さらに、前記ヒーター、前記サーモスタットまたは前記温度ヒューズは、配線される端子が前記円環状筒状部内に位置するように構成されている
ことを特徴とする加湿器。
【請求項２】
前記液体加熱体内には、該液体加熱体を加熱するためのヒーター、前記液体加熱体の温度制御を行うためのサーモスタットおよび電気回路に異常電流が流れた際に電源からの電力供給を遮断するための温度ヒューズが配され、さらに、前記ヒーター、前記サーモスタットおよび前記温度ヒューズはいずれも、配線される端子が前記円環状筒状部内に位置するように構成されている請求項１に記載の加湿器。
【請求項３】
前記係止部は、環状リブである請求項１または２に記載の加湿器。
【請求項４】
前記係止部は、前記加熱体本体部の下部付近の外表面に一体に設けられている請求項１ないし３のいずれかに記載の加湿器。
【請求項５】
前記凸形態に構成された加熱体本体部は、側部に内側に窪む把持用凹部を有している請求項１ないし４のいずれかに記載の加湿器。
【考案の詳細な説明】
【技術分野】
【０００１】
本発明は、水などの液体を加熱する液体加熱体を備えた加湿器に関する。
【背景技術】
【０００２】
従来より、水などの液体を加熱して霧化等させる液体加熱体が加湿器等装置内に取り付けられている。このような液体加熱体は、通常、図６または図８に示すように、凹状の液体加熱体８１を下側からケーシング８０の一部８０ａにパッキン８２を介して押し当て、多数の螺子８３ａ，８３ｂ，８３ｃ，８３ｄ，８３ｅ，８３ｆにて固定して取り付けられていた。また、液体加熱体８１を加熱するためのヒーター８４、液体加熱体８１の温度制御を行うためのサーモスタット８５、或いは、電気回路に異常電流が流れた際に電源からの電力供給を遮断するための温度ヒューズ８６などの電気部品は、液体加熱体８１の下面に露呈した状態で取り付けられていた（例えば、特開平１１−６３５８８号公報または特開２０００−１０４９５９号公報）。
【０００３】
しかし、液体加熱体８１を下側から押し当てて固定する構造では、液体加熱体８１が落下しないように多数の螺子８３ａ，８３ｂ，８３ｃ，８３ｄ，８３ｅ，８３ｆで固定する必要があり、固定部８７ａ，８７ｂ，８７ｃ，８７ｄ，８７ｅ，８７ｆも多数必要で液体加熱体８１の構造が複雑化すると共に、取り付け作業が極めて煩雑で、かつ均等な螺子締めが困難で取付状態が不安定になる傾向があった。
また、図８に示すように、液体加熱体８１の上端開口はパッキン８２を介してケーシングの一部８０ａに固定されているが、金属製の液体加熱体８１と樹脂製のパッキン８２との熱膨張率の相違やパッキン８２の経時劣化などにより水等が液体加熱体８１外に漏れることがあり、この漏れた水等が液体加熱体８１の外面を伝わって下面に至り、液体加熱体８１の下面に取り付けられた電気部品を損傷したり発火させるおそれがあった。
【特許文献１】特開平１１−６３５８８号公報
【特許文献２】特開２０００−１０４９５９号公報
【考案の開示】
【考案が解決しようとする課題】
【０００４】
そこで、本発明の課題は、極めて簡素な構造で、液体加熱体が本体から落下することがなく、液体加熱体を容易かつ安定した状態で装置本体に取り付けることができると共に、液漏れにより液体加熱体に取り付けられた電気部品が損傷したり発火することを防止できる加湿器を提供することにある。
【課題を解決するための手段】
【０００５】
上記課題を解決するものは、表面で液体と接触して加熱可能な液体加熱体を有する加湿器であって、前記液体加熱体は、外表面で水と接触して加熱気化させる凸形態に構成され上方に突出した加熱体本体部と、該加熱体本体部の下部付近の外表面に設けられた係止部と、前記加熱体本体部の下部に設けられた円環状筒状部と、前記係止部の下方で、かつ前記円環状筒状部の外表面の全周に渡って形成された螺合部とを有し、他方、前記加湿器本体は液体加熱体装着部を有し、前記液体加熱体は、前記螺合部と螺合する螺合手段によって、前記液体加熱体装着部が前記係止部と前記螺合手段との間に挟持されて加湿器本体に取り付けられると共に、前記液体加熱体内には、該液体加熱体を加熱するためのヒーター、前記液体加熱体の温度制御を行うためのサーモスタットまたは電気回路に異常電流が流れた際に電源からの電力供給を遮断するための温度ヒューズが配され、さらに、前記ヒーター、前記サーモスタットまたは前記温度ヒューズは、配線される端子が前記円環状筒状部内に位置するように構成されていることを特徴とする加湿器てある。
【０００６】
前記液体加熱体内には、該液体加熱体を加熱するためのヒーター、前記液体加熱体の温度制御を行うためのサーモスタットおよび電気回路に異常電流が流れた際に電源からの電力供給を遮断するための温度ヒューズが配され、さらに、前記ヒーター、前記サーモスタットおよび前記温度ヒューズはいずれも、配線される端子が前記円環状筒状部内に位置するように構成されていることが好ましい。前記係止部は、環状リブであることが好ましい。前記係止部は、前記加熱体本体部の下部付近の外表面に一体に設けられていることが好ましい。前記凸形態に構成された加熱体本体部は、側部に内側に窪む把持用凹部を有しているこが好ましい。表面で液体と接触して加熱可能な液体加熱体を有する加湿器であって、前記液体加熱体は、外表面で水と接触して加熱気化させる凸形態に構成された加熱体本体部と、該加熱体本体部の下部付近の外表面に一体に設けられた環状リブと、前記加熱体本体部の下部に一体に設けられた円環状筒状部と、前記環状リブの下方で、かつ前記円環状筒状部の外表面の全周に渡って形成された螺合部とを有し、他方、前記加湿器本体は液体加熱体装着部を有し、前記液体加熱体は、前記螺合部と螺合する螺合手段によって、前記液体加熱体装着部が前記環状リブと前記螺合手段との間に挟持されて加湿器本体に取り付けられると共に、前記液体加熱体内には、該液体加熱体を加熱するためのヒーター、前記液体加熱体の温度制御を行うためのサーモスタットおよび電気回路に異常電流が流れた際に電源からの電力供給を遮断するための温度ヒューズが配され、さらに、前記ヒーター、前記サーモスタットおよび前記温度ヒューズはいずれも、配線される端子が前記円環状筒状部内に位置するように構成されていることが好ましい。前記凸形態に構成された加熱体本体部は、側部に内側に窪む把持用凹部を有していることが好ましい。
【考案の効果】
【０００７】
請求項１ないし４に記載の発明によれば、簡素な構造で、液体加熱体が本体から落下することがなく、液体加熱体を容易かつ安定した状態で装置本体に取り付けることができると共に、液漏れにより液体加熱体に取り付けられた電気部品が損傷したり発火することを防止できる。
請求項５に記載の発明によれば、液体加熱体を液体加熱体装着部に取り付ける際には、把持用凹部を把持した状態で下側から螺合手段を螺合させれば、加熱体本体部が螺合手段と共に回転することなく、より容易に堅結することができる。
【図面の簡単な説明】
【０００８】
【図１】本発明の液体加熱部の装置内取付構造を備えた加湿器の一実施例の正面図である。
【図２】図１の加湿器の底部内面を示す平面図である。
【図３】図２のＡ―Ａ線における液体加熱部付近の拡大断面図である。
【図４】図２のＢ―Ｂ線における液体加熱部付近の断面図である。
【図５】図１に示した加湿器の液体加熱体を逆さにした状態の斜視図である。
【図６】従来の加湿器における液体加熱部の装置内取付構造を説明するための底部裏面図である。
【図７】図６に示した従来の加湿器の底部内面を示す平面図である。
【図８】図７のＣ―Ｃ線における液体加熱部付近の断面図である。
【考案を実施するための形態】
【０００９】
本考案は、螺合手段によって、液体加熱体装着部が係止部と螺合手段との間に挟持されて、液体加熱体が装置本体に取り付けられる構造を採用したため、液体加熱体が本体から落下することがなく、液体加熱体を容易かつ安定した状態で装置本体に取り付けることができる加湿器を実現した。
また、螺合手段によって、液体加熱体装着部が係止部と螺合手段との間に挟持されて、液体加熱体が装置本体に取り付けられる構造を採用したため、液体加熱体が本体から落下することがなく、液体加熱体を容易かつ安定した状態で加湿器本体に取り付けることができると共に、液体加熱体内に、液体加熱体を加熱するためのヒーターと、液体加熱体の温度制御を行うためのサーモスタットまたは電気回路に異常電流が流れた際に電源からの電力供給を遮断するための温度ヒューズを配することによって、液漏れにより液体加熱体に取り付けられた電気部品が損傷したり発火することを防止できる加湿器を実現した。
【実施例１】
【００１０】
図１は本発明の液体加熱部の装置内取付構造を備えた加湿器の一実施例の正面図であり、図２は図１の加湿器の底部内面を示す平面図であり、図３は図２のＡ―Ａ線における液体加熱部付近の拡大断面図であり、図４は図２のＢ―Ｂ線における液体加熱部付近の断面図であり、図５は図１に示した加湿器の液体加熱体を逆さにした状態の斜視図である。
【００１１】
この実施例の加湿器１は、表面で液体（水）と接触して加熱可能な液体加熱体２を有する加湿器であって、図３または図４に示すように、液体加熱体２は、外表面３に設けられた係止部と、係止部４付近に設けられ外表面の全周に渡って形成された螺合部５とを有し、他方、加湿器本体６（装置本体）は液体加熱体装着部７を有し、液体加熱体２は、螺合部５と螺合する螺合手段８によって、液体加熱体装着部７が係止部４と螺合手段８との間に挟持されて加湿器本体６に取り付けられ、さらに、液体加熱体２内には、液体加熱体２を加熱するためのヒーター９と、液体加熱体２の温度制御を行うためのサーモスタット１０および電気回路に異常電流が流れた際に電源からの電力供給を遮断するための温度ヒューズ１１が配されている。以下、各構成について順次詳述する。
【００１２】
この実施例の加湿器１は、図１または図２に示すように、箱型の加湿器本体６の中に、上部に給水タンク（図示しない）を装着するための給水タンク装着部１２と、水を加熱して蒸気を発生させるための蒸気発生部１３と、給水タンク内の水を蒸気発生部１３に適宜流入させるための給水路１４とを有している。加湿器本体６の正面側には操作部１５が設けられ、加湿器本体６の上部蓋体１６の後方側には蒸気吹出部１７が設けられている。そして、給水タンクから給水路１４を介して蒸気発生部１３に配された水は、後述する液体加熱体２により加熱され霧化されて、蒸気発生部１３の上方に設けられた蒸気吹出部１７より放出され室内を加湿する。
【００１３】
本発明の加湿器１の特徴は、蒸気発生部１３における液体加熱体２の取付構造にあり、液体加熱体が本体から落下することがなく、液体加熱体を容易かつ安定した状態で加湿器本体に取り付けることができるように構成されている。
【００１４】
具体的には、この実施例の液体加熱体２は、図３または図４に示すように、蒸気発生部１３内に取り付けられると上方に突出し、その外表面３で水と接触して加熱気化させる加熱体本体部２１と、加熱体本体部２１の下部付近の外表面３に一体に設けられた係止部（環状リブ）４と、加熱体本体部２１の下部に一体に設けられた円環状筒状部２２と、係止部４の下方で、かつ円環状筒状部２２の外表面の全周に渡って形成された螺合部５とを有している。
【００１５】
そして、この液体加熱体２は、図４に示すように、加熱器本体６の蒸気発生部１３に設けられた液体加熱体装着部（蒸気発生部１３を構成する側壁７ａの下部より内側（水平方向）に向かって延出した環状リブ）７の上部に、液密性を保持するためのパッキン１８を介して配され、他方、螺合部５と螺合する螺合手段（六角ナット）８をワッシャ１９を介して液体加熱体装着部７の下側から螺合させ堅結することにより、加湿器本体６に取り付けられている。
【００１６】
このように、本発明の液体加熱体２は、液体加熱体装着部７が係止部４と螺合手段８との間に挟持（この実施例では、上下方向から押圧された状態で挟持）されて加湿器本体６に取り付けられているため、１つの螺合手段による取り付けでも液体加熱体２が加湿器本体６から落下することがなく、極めて簡素な構造で液体加熱体２を容易かつ安定した状態で取り付けることができる。
【００１７】
なお、この実施例の液体加熱体２の加熱体本体部２１は、図２に示すように、側部に内側に窪む把持用凹部２１ａ，２１ｂを有している。このため、液体加熱体２を液体加熱体装着部７に取り付ける際には、これら把持用凹部２１ａ，２１ｂを把持した状態で下側から螺合手段（六角ナット）８を螺合させれば、加熱体本体部２１が螺合手段８と共に回転することなく、より容易に堅結することができる。
【００１８】
また、液体加熱体２内には、液体加熱体２を加熱するためのヒーター９が内蔵されている。具体的には、この実施例では、図４に示すように、ヒーター９が縦断面形状で逆Ｕ字型に湾曲された状態で液体加熱体２（加熱体本体部２１）内に配されている。
【００１９】
さらに、液体加熱体２の温度制御を行うためのサーモスタット１０と、電気回路に異常電流が流れた際に電源からの電力供給を遮断するための温度ヒューズ１１も、図３に示すように、液体加熱体２（加熱体本体部２１）内に配されている。より具体的には、図５に示すように、サーモスタット１０は、加熱体本体部２１内に設けられたサーモスタット挿入穴２３内に挿入されており、温度ヒューズ１１は、加熱体本体部２１内に設けられた温度ヒューズ挿入穴２４内に挿入されている。
【００２０】
そして、ヒーター９、サーモスタット１０および温度ヒューズ１１はいずれも、配線される端子が円環状筒状部２２内に位置するように構成されている。これらの構造により、万一液漏れして水が垂下しても、電気部品に水が接触することがなく、よって、電気部品が損傷したり発火することを防止することができる。
【符号の説明】
【００２１】
１    加湿器
２    液体加熱体
３    液体加熱体の外表面
４    係止部（環状リブ）
５    螺合部
６    加湿器本体
７    液体加熱体装着部
８    螺合手段
９    ヒーター
１０  サーモスタット
１１  温度ヒューズ
１２  給水タンク装着部
１３  蒸気発生部
１４  給水路
１５  操作部
１６  上部蓋体
１７  蒸気吹出部
１８  パッキン
１９  ワッシャ
２１  加熱体本体部
２２  円環状筒状部
２３  サーモスタット挿入穴
２４  温度ヒューズ挿入穴
【図１】
0003152659.tif 000003
【図２】
0003152659.tif 000004
【図３】
0003152659.tif 000005
【図４】
0003152659.tif 000006
【図５】
0003152659.tif 000007
【図６】
0003152659.tif 000008
【図７】
0003152659.tif 000009
【図８】
0003152659.tif 000010